(57)【特許請求の範囲】
【請求項１】
ＩＣカード表面の接続電極と装置側回路に繋がる接続端子とを接続／解除するＩＣカードコネクタであって、コネクタ本体と、コネクタカバー完成体とを有し、
該コネクタ本体は、挿入された該ＩＣカードが位置決めされるカード搭載板と、該カード搭載板をＩＣカード挿入方向に移動可能に保持するコネクタ筐体とを有し、
該コネクタカバー完成体は、挿入された該ＩＣカードの接続電極に対向する位置に消勢して突出した該接続端子を有し、ＩＣカード挿入方向に移動可能に該コネクタ筐体に装着されており、
該コネクタ本体は、該コネクタ筐体がＩＣカード挿入方向へ移動すると該カード搭載板を斜め上方に移動させる移動手段を有し、
該コネクタカバー完成体は、該カード搭載板の斜め上方移動に追動してＩＣカード挿入方向に水平移動し、該接続端子が対向して上方移動する該接続電極に弾接して付勢され接続される
ことを特徴とするＩＣカードコネクタ。
【請求項２】
該移動手段は、該カード搭載板の幅方向両側面に設けた斜め突起と、該コネクタ筐体の幅方向両内側面に設けた斜め溝との嵌合からなる
ことを特徴とする請求項１記載のＩＣカードコネクタ。
【請求項３】
該コネクタカバー完成体のＩＣカード挿入方向端辺に垂下したフックが、該カード搭載板のＩＣカード挿入方向端辺に設けた突起と係合し、
該コネクタカバー完成体は、接続端子が接続電極と対向しながら該ＩＣカード搭載板に追動する
ことを特徴とする請求項１記載のＩＣカードコネクタ。
【請求項４】
ＩＣカード表面の接続電極と装置側回路基板の接続電極部に繋がるコネクタ端子とを接続／解除するＩＣカードコネクタであって、カード載置板と、コネクタ本体と、コンタクト抑え板とを有し、
該カード載置板は、挿入された該ＩＣカードを位置決めするものであり、
該コネクタ本体は、幅方向両側面で該カード載置板を案内するものであり、挿入された該ＩＣカードの接続電極に対向する位置に消勢してコンタクトが突出した該コネクタ端子を有し、
該コンタクト抑え板は、該コンタクトの配置領域を囲む枠形をなして該コンタクトを付勢して抑えるものであり、該ＩＣカード載置板とともに移動して該コンタクトの配置領域に位置したとき上方へ移動させる上昇手段によって該コンタクトが消勢して突出し、対向する該接続電極に弾接して接続される
ことを特徴とするＩＣカードコネクタ。
【請求項５】
該上昇手段は、該コンタクト抑え板のカード載置板移動方向に沿った側辺の上面に設けた凸の梯形台状段差面と、該凸の梯形台状段差面と対応する領域に設けた凹の梯形台状段差部との係合からなる
ことを特徴とする請求項４記載のＩＣカードコネクタ。
【発明の詳細な説明】
【０００１】
【発明の属する技術分野】
本発明は磁気カード形のＩＣカードを接続／解除するＩＣカードコネクタ（以下カードコネクタとする）の構成に係わり、特にＩＣカード上の接続電極とカードコネクタのコンタクトとの間の摺動による接続をなくして接続の長期安定化と接続／解除時の操作力の低減化とを図ったＩＣカードコネクタに関する。
【０００２】
情報技術の進展に伴って最近では例えば現金情報等を記録したプリペードカードの如く磁気カード形のＩＣカードが多用されるようになってきているが、かかるＩＣカードは使用頻度が大きいことから長寿命で且つ接続信頼度の高いカードコネクタが強く望まれている。
【０００３】
【従来の技術】
図１９は本発明に係わるＩＣカードを説明する概略図であり、図２０は従来のＩＣカードコネクタの構成例を説明する図、図２１はＩＣカード接続時の状態を時系列的に説明する図、図２２は問題点を説明する図である。
【０００４】
ＩＣカードを説明する図１９で、平面視サイズが規格化された大きさのＩＣカード１の片面の破線Ａで示す電極領域１ａには、該ＩＣカード内の磁気情報に繋がる複数（図の場合では８個）の接続電極１ｂが露出した状態で整列して形成されている。
【０００５】
一方、かかるＩＣカード１を接続しまたは該接続を解除するカードコネクタ２は図２０の（２０−１）で示す如く、絶縁筐体２１と該絶縁筐体に装着される接続端子完成体２２とからなる。
【０００６】
このうち絶縁筐体２１は、図１９で説明したＩＣカード１を幅方向周囲でのガイドで所定位置まで挿入し得る穴２１ａが形成され、周壁２１ｂの上記ＩＣカード挿入時の電極領域１ａと対応する領域には、該電極領域１ａと対応する大きさの開口窓２１ｃが形成されている。
【０００７】
また、接続端子完成体２２は可撓性回路基板２５とその一端に実装される接続端子板２３とからなるが、この場合の接続端子板２３は８個の接続端子２３１をそれぞれの一端を形成するコンタクト２３１ａが上記接続電極１ｂと対応して位置するように二列に配置した状態で、両端域を除く中央部で絶縁体２３２に植設されてなるものであるが、該接続端子板２３は例えば通常のインサート成形技術等によって容易に形成することができる。
【０００８】
そして該接続端子２３１の上述したコンタクト２３１ａは該絶縁体表面２３２ａから突出して形成され、該絶縁体外側に位置する他端部は上記コンタクトと反対側にオフセット曲げされた外部接続端子２３１ｂに形成されている。
【０００９】
そこで、上記可撓性回路基板２５の一端に形成された図示されない電極と上記接続端子板２３の各外部接続端子２３１ｂとを通常のはんだ接続技術等ではんだ接続することで可撓性回路基板２５に実装された接続端子板２３が実装された接続端子完成体２２を図示のように構成することができる。
【００１０】
更に、例えば上記接続端子完成体２２の絶縁体表面２３２ａに設けた突起２３２ｂと上記絶縁筐体２１の該突起対応位置に設けた孔２１ｄとの嵌合で、該接続端子完成体２２を矢印Ｂのように該絶縁筐体２１の開口窓領域に搭載し、両者を接着材等で固定することで、上述したカードコネクタ２を断面視した（２０−２）に示すように構成することができる。
【００１１】
なお図の状態で各接続端子２３１のコンタクト２３１ａは、上記ＩＣカード１を正規位置まで挿入したときの該カード１の各接続電極１ｂと対応して位置することとなる。
【００１２】
ＩＣカード接続時の状態を図（２０−２）同様に断面視して示した図２１で、上述したＩＣカード１を矢印Ｃのように図２０で説明したカードコネクタ２に挿入すると先ず（２１−１）で示す状態になるが、この時点では接続端子完成体２２における各接続端子２３１のコンタクト２３１ａはフリーの状態にある。
【００１３】
なお１ａは図１９で発明した電極領域である。
そして、ＩＣカード１の挿入が続くと上記接続端子２３１のコンタクト２３１ａが該ＩＣカード１の表面と接触して（２１−２）に示す状態となり、更に続く該ＩＣカード１の挿入で該カード１がカードコネクタ２の所定位置に到達すると、該ＩＣカード１の電極領域１ａの各接続電極１ｂとカードコネクタ２の接続端子２３１とが接触した（２１−３）で示す状態にすることができる。
【００１４】
なおカードコネクタ２に挿入されたＩＣカード１は、例えば該カードコネクタ２の絶縁筐体カード挿入側端辺に設けた上記凹部２１ｅでの該ＩＣカード１の把持で容易に取り出すことができる。
【００１５】
かかるカードコネクタ２では、コネクタとしての構成が簡易なるため顧客の低価格化要請に対応できるメリットがある。
【００１６】
【発明が解決しようとする課題】
しかし、ＩＣカード１を該カードコネクタ２に対して接続／解除する度に該カードコネクタ２のコンタクト２３１ａがＩＣカード表面を摺動する。
【００１７】
このことは問題点を示す図２２に示す如く、該ＩＣカード１の表面に上記コンタクト２３１ａによる摺動痕１ｃが形成され易くなるが、このことはＩＣカード１の使用頻度が多いこととあいまって長期間にわたって接続信頼性を確保することが難しくなると言う問題点があった。
【００１８】
【課題を解決するための手段】
上記課題は、ＩＣカード表面の接続電極と装置側回路に繋がる接続端子とを接続／解除するＩＣカードコネクタであって、コネクタ本体と、コネクタカバー完成体とを有し、該コネクタ本体は、挿入された該ＩＣカードが位置決めされるカード搭載板と、該カード搭載板をＩＣカード挿入方向に移動可能に保持するコネクタ筐体とを有し、該コネクタカバー完成体は、挿入された該ＩＣカードの接続電極に対向する位置に消勢して突出した該接続端子を有し、ＩＣカード挿入方向に移動可能に該コネクタ筐体に装着されており、該コネクタ本体は、該コネクタ筐体がＩＣカード挿入方向へ移動すると該カード搭載板を斜め上方に移動させる移動手段を有し、該コネクタカバー完成体は、該カード搭載板の斜め上方移動に追動してＩＣカード挿入方向に水平移動し、該接続端子が対向して上方移動する該接続電極に弾接して付勢され接続されるように構成されているＩＣカードコネクタによって解決される。
【００１９】
また、ＩＣカード表面の接続電極と装置側回路基板の接続電極部に繋がるコネクタ端子とを接続／解除するＩＣカードコネクタであって、カード載置板と、コネクタ本体と、コンタクト抑え板とを有し、該カード載置板は、挿入された該ＩＣカードを位置決めするものであり、該コネクタ本体は、幅方向両側面で該カード載置板を案内するものであり、挿入された該ＩＣカードの接続電極に対向する位置に消勢してコンタクトが突出した該コネクタ端子を有し、該コンタクト抑え板は、該コンタクトの配置領域を囲む枠形をなして該コンタクトを付勢して抑えるものであり、該ＩＣカード載置板とともに移動して該コンタクトの配置領域に位置したとき上方へ移動させる上昇手段によって該コンタクトが消勢して突出し、対向する該接続電極に弾接して接続されるように構成されたＩＣカードコネクタによって解決される。
【００２０】
ＩＣカードの接続電極とカードコネクタの接続端子との間を摺動させることなく該ＩＣカードの挿入で接続電極と接続端子間の接触圧力が増やせるようにカードコネクタを構成すると、上述した摺動による接続信頼性の低下が抑制できるので、長期間にわたる接続信頼性の確保を実現することができる。
【００２１】
そこで本発明では、カードコネクタのコネクタ本体を構成するコネクタ筐体に該筐体に対してカード挿入方向斜め前方に上昇し得るカード搭載板を組み込むと共に、該カード搭載板と共に前方に移動し得るカバーに可撓性回路軌範に繋がる接続端子完成体を装着してカードコネクタを構成している。
【００２２】
そして該カードコネクタは、ＩＣカードをコネクタ筐体に挿入したときに該ＩＣカードが上述したカード搭載板上に載置されるように構成されている。
このことは、ＩＣカードをコネクタ筐体に挿入すると、該ＩＣカードの挿入に伴う上記カード搭載板の上昇によってＩＣカード自体が上昇すると共に該ＩＣカードの移動に対応してカバーひいては接続端子完成体が移動するので、ＩＣカードの接続電極とカードコネクタの接続端子との間の摺動がなくせると共に該接続電極と接続端子間の接触圧力が増やせることを意味する。
【００２３】
従って、長期間にわたって接続信頼性が確保できる所要のＩＣカードコネクタを実現することができる。
【００２４】
【発明の実施の形態】
図１は本発明になるカードコネクタの構成を説明する図であり、図２は図１におけるコネクタ筐体を説明する図、図３は図１におけるカード搭載板を説明する図、図４は図１におけるコネクタ本体を動作と共に説明する図、図５は図１におけるコネクタカバーを説明する図、図６は図１における接続端子完成体を説明する図、図７は図１におけるコネクタカバー完成体を説明する図、図８は図１におけるカードコネクタの動作を説明する図、図９は本発明に係わる他の接続端子完成体を説明する図、図１０は図９の接続端子完成体を使用したカードコネクタを説明する図である。
【００２５】
また図１１は本発明になる他のカードコネクタの構成を説明する図であり、図１２は図１１におけるコネクタ本体を説明する図、図１３は図１１におけるコンタクト抑え板を説明する図、図１４は図１１におけるカード載置板を説明する図、図１５は図１１のコネクタの組立方法を説明する図（その１）、図１６は図１１のコネクタの組立方法を説明する図（その２）、図１７は図１１のコネクタに適用する回路基板を示す図、図１８は図１１におけるカードコネクタの動作を説明する図である。
【００２６】
図１で（１−１）は外観を示しまた（１−２）は該（１−１）をａ〜ａ′で切断視した断面図である。
図で本発明になるカードコネクタ３は、ＩＣカードを幅方向のガイドで挿入するコネクタ本体３１と、該コネクタ本体３１をカバーするコネクタカバー完成体３２とで構成される。
【００２７】
そして、上記コネクタ本体３１はコネクタ筐体３１１とカード搭載板３１２とからなり、また上記コネクタカバー完成体３２はコネクタカバー３２１と接続端子完成体３３とからなるものである。
【００２８】
ここで本発明を理解し易くするため、先に図３乃至図４でコネクタ本体３１を説明し、また図５乃至図７でコネクタカバー完成体３２を説明する。
すなわち図２で、コネクタ本体３１を構成する樹脂成形品等からなるコネクタ筐体３１１は、平面視での大きさが図２２で説明したＩＣカード１よりも大きいフレーム枠３１１ａに形成され、該フレーム枠３１１ａの片側の短辺には該ＩＣカード１を幅方向でガイドして該枠３１１ａの上面３１１ｂに案内し得る開口窓３１１ｃを備えたガイド部３１１ｄが該枠３１１ａから立ち上がった状態に形成されているものである。
【００２９】
そして上記フレーム枠３１１ａのカード挿入方向に沿う長辺３１１ｅ-1と３１１ｅ-2には、それぞれの外面３１１ｆには各複数（図では各３個）の板状突起３１１ｇが上記上面３１１ｂと平行するように外側に突出して形成され、またそれぞれの内面３１１ｈには各複数（図では各２個）の斜め溝３１１ｊがカード挿入方向で上方を向くように形成されている。
【００３０】
そしてこの場合の斜め溝３１１ｊは、該領域を矢印Ｄのように正面視して抽出した円内図（ａ）で示す如く、一定幅ｗで形成され且つ上面３１１ｂ側の一部には同じ深さでカード挿入方向に拡がる拡幅部３１１ｊ′を備えているが、該拡幅部形成時の拡幅部形成辺３１１ｊ″は先端側が僅かに上昇するテーパに形成されている。
【００３１】
なお上記ガイド部３１１ｄの上辺近傍には、後述するコネクタカバー完成体とをばねで係合させるためのばね取付け孔３１１ｍが形成されている。
また図３で樹脂成形品等からなる平面視角形のカード搭載板３１２は、幅方向両辺での上記フレーム枠内面に対するガイドで該フレーム枠内の長手方向に移動し得る大きさに形成されているものである。
【００３２】
そして該カード搭載板３１２の両側の幅方向端面３１２ａ-1と３１２ａ-2には、長手方向の一端面３１２ｂを上記コネクタ筐体３１１のフレーム枠３１１ａのガイド部側内面３１１ｋに当接させたときの上記各斜め溝３１１ｊと対応するそれぞれの位置に、該各斜め溝３１１ｊに嵌合する斜め突起３１２ｃが突出して形成されていると共に、長手方向の他端には突起３１２ｄが上面３１２ｅ側に突出して形成されている。
【００３３】
なお上記斜め突起３１２ｃは、該領域を矢印Ｅのように正面視して抽出した拡大図（ａ）で示す如く、上記コネクタ筐体３１１における斜め溝３１１ｊの幅ｗに対応する幅ｗ′に形成されている。
【００３４】
そこで、上記コネクタ筐体３１１の斜め溝３１１ｊと該カード搭載板３１２の斜め突起３１２ｃとを嵌合させながら該カード搭載板３１２をコネクタ筐体３１１に嵌め込むと、上述したコネクタ本体３１を図４の（４−１）に示すように構成することができる。
【００３５】
なおこの場合におけるカード搭載板３１２は、図３で説明したように長手方向一端面３１２ｂがコネクタ筐体３１１のガイド部側内面３１１ｋと当接しているので、該コネクタ筐体３１１から脱落することがない。
【００３６】
そして該カード搭載板３１２を矢印Ｆの方向に移動させると、（４−２）に示す如く、当初▲１▼で示す位置にあった斜め突起３１２ｃが斜め溝３１１ｊによって上昇して▲２▼で示す位置に到達し更に図２で説明した拡幅部３１１ｊ′を移動して▲３▼で示す位置に到達するので、結果的に（４−２）で示す状態にすることができる。
【００３７】
このことは、該カード搭載板３１２を矢印Ｆの方向に移動させることで、該カード搭載板自体が上記▲１▼〜▲３▼の行程を移動することを示している。
一方図５で、上述したコネクタカバー完成体３２を構成する樹脂成形品等からなるコネクタカバー３２１は、矢印Ｇ方向から見た正面視がコ字形に形成されているものである。
【００３８】
そして幅方向両側の各側壁３２１ａには、長手方向片側の端辺３２１ｂを図２で説明したコネクタ筐体３１１のガイド部内面３１１ｄ′と当接させたときの該コネクタ筐体３１１の各板状突起３１１ｇと対応するそれぞれの位置に、該板状突起３１１ｇが嵌入し得るスリット溝３２１ｃが該位置を起点として上記端辺３２１ｂ側に延伸させた状態に形成されている。
【００３９】
また長手方向他端側の端辺３２１ｄには、該コネクタカバー３２１を上記のようにコネクタ筐体のガイド部３１１ｄに当接させると同時に上記カード搭載板３１２を図４の（４−１）に示す状態にしたときの該カード搭載板３１２の突起３１２ｄと対応する位置に、該突起３１２ｄの外面と接触し得るフック３２１ｅが形成されている。
【００４０】
更に該コネクタカバー３２１の両側壁を繋ぐ領域には、上記カード搭載板３１２と該コネクタカバー３２１とを突起３１２ｄとフック３２１ｅとの係合で位置決めして前記ＩＣカード１を載置したときの該ＩＣカード１の電極領域１ａと対応する位置に、図２０で説明した開口窓２１ｃと等しい大きさの開口窓３２１ｆが形成されている。
【００４１】
なお上述した端辺３２１ｂ側の所定位置には、該コネクタカバー３２１を図２で説明したコネクタ筐体３１１に係合させるためのばね取付け孔３２１ｇが形成されている。
【００４２】
また図６で、（６−１）は接続端子完成体３３の構成を示し、また（６−２）は接続端子完成体３３の完成状態を示したものである。
そして上述したコネクタカバー完成体３２を構成する接続端子完成体３３は、（６−１）に示す如く図２０で説明した可撓性回路基板２５と接続端子板３４ととからなるものである。
【００４３】
そしてこの場合の該接続端子板３４は、図２０における接続端子板２３の絶縁体２３２を位置決め用の突起２３２ｂを上記コネクタカバー３２１の開口窓３２１ｆと嵌合する凸の段差面３４１ａに代えた絶縁体３４１に置き換えたものであり、その他の構成は上記接続端子板２３と等しいものである。
【００４４】
従って、図２０で説明した可撓性回路基板２５に上記接続端子板３４を通常のはんだ接続技術等で実装することで、接続端子完成体３３を（６−２）に示すように構成することができる。
【００４５】
そこで、図５で説明したコネクタカバー３２１の開口窓３２１ｆと上記接続端子完成体３３の凸の段差面３４１ａとを嵌合させた状態で図２０で説明したように両者を接着材等で固定することで、前述したコネクタカバー完成体３２を図７の（７−１）と該図（７−１）をｂ〜ｂ′で切断視した（７−２）に示すように構成することができる。
【００４６】
次いで、該コネクタカバー完成体３２のコネクタカバー３２１の側壁３２１ａを例えば図示されない治具等で拡げた状態にした上で、図４で説明したコネクタ本体３１の板状突起３１１ｇが上記コネクタカバー３２１のスリット溝３２１ｃに嵌合するように該コネクタ本体３１を上記コネクタカバー完成体３２に係合させた上で、コネクタカバー完成体３２のばね取付け孔３２１ｇとコネクタ本体３１のばね取付け孔３１１ｍとの間に例えばばね３５を懸張することで、、所要の本発明になるカードコネクタ３を図１に示すように構成することができる。
【００４７】
カードコネクタ３としての動作を時系列的に説明する図８で、（８−１）はＩＣカード挿入開始時の状態を示し、（８−２）はＩＣカードがカード搭載板に載置された状態を、（８−３）はＩＣカードを更に挿入したときの途中の状態を、また（８−４）は該ＩＣカードを所定位置まで挿入したときの状態をそれぞれ示したものである。
【００４８】
すなわち、カードコネクタ３へのＩＣカード１の挿入開始時の状態を示した（８−１）で該ＩＣカード１はカード搭載板３１２上に位置しているが、該ＩＣカード１の先端辺１′がカード搭載板３１２の突起３１２ｄと接触していない図の状態では、該カードコネクタ３におけるコネクタカバー完成体３２の接続端子２３１のコンタクト２３１ａは該カード１の表面と離れて位置していると共に、該コンタクト配置領域と該カード１の電極領域１ａとが位置的に離れている。
【００４９】
そして該ＩＣカード１の上記先端辺１′がカード搭載板３１２の突起３１２ｄと接触する位置まで挿入された（８−２）の時点では、該カード１の電極領域１ａが上記コンタクト配置領域と対面した状態にある。
【００５０】
そして該ＩＣカード１が更に挿入されると、図４で説明したようにカード搭載板３１２がコネクタ筐体３１１に対して上昇すると同時に、上記コネクタカバー完成体３２ひいては接続端子２３１のコンタクト２３１ａが該カード搭載板３１２との相対関係を保ったまま移動するので、ＩＣカード１の電極領域１ａにおける各接続電極１ｂが上記接続端子２３１のコンタクト側に接近して（８−３）に示す如く両者の接続を実現することができる。
【００５１】
そしてその後の該ＩＣカード１の挿入では（８−４）に示す如く、上記カード搭載板３１２の突起３１２ｄがコネクタ筺体３１１の拡幅部３１１ｊ′に入るが、この領域では図２で説明した拡幅部形成辺３１１ｊ″のテーパによって該カード搭載板自体が僅かに上昇するので、上記接続端子２３１のコンタクト２３１ａと該ＩＣカード１の接続電極１ｂ間の接触圧力が徐々に増加することになるので、図示されないロック機構等で上記コネクタカバー完成体３２をロックすることで、更に確実な接続を確保することができる。
【００５２】
かかる構成になるカードコネクタ３では、カード搭載板３１２に位置決めされたときのＩＣカード１の各接続電極１ｂとコネクタカバー完成体３２の接続端子板３４における接続端子２３１の各コンタクト２３１ａとが常時対応して位置するので、各電極１ｂとコンタクト２３１ａ間の摺動接触による図２２で説明した摺動痕１ｃの発生が抑制できることから長期にわたる接続特性の確保と安定化を実現することができる。
【００５３】
更に、摺動接触がないことからＩＣカード１としての接続／解除時の操作力がほぼ“０”にできるので、多極化にも容易に対応できるメリットがある。
なお図示されないエジェクタ機構等で該ロックを解除すると、前述したばね３５によってコネクタカバー完成体３２がカード搭載板３１２と共に初期位置に戻るので、結果的にＩＣカード１の取り出しの容易化が図れるメリットがある。
【００５４】
接続端子完成体の他の構成例を示した図９で、（９−１）は構成を示しまた（９−２）は完成状態を示したものである。
すなわち図の（９−１）で、接続端子完成体３６は接続端子板３７と可撓回路基板３８とで構成されている。
【００５５】
そしてこの場合の該接続端子板３７は、図６の接続端子板３４における各接続端子２３１をコンタクト領域のみを長くした接続端子３７１に代えると共に、該接続端子３７１のコンタクト３７１ａが外部接続端子２３１ｂから離れた方のＩＣカード接続電極１ｂと対応し得るように該各該接続端子３７１を絶縁体３７２に対して斜めに平行配置して上記接続端子板３４と同様に通常のインサート成形技術等で形成したものである。
【００５６】
なお該絶縁体３７２の上面には、該接続端子板３４と同様の段差面３７２ａが形成されている。
また可撓回路基板３８は、該各接続端子３７１の外部接続端子２３１ｂと対応するそれぞれの位置に接続電極３８ａがパターン形成されているものである。
【００５７】
そこで図６同様に、通常のはんだ接続技術で両者を接続することで、（９−２）に示すように接続端子完成体３６を構成することができる。
従って、以下図７で説明したように該接続端子完成体３６をコネクタカバー３２１に固定してコネクタカバー完成体を構成した後該コネクタカバー完成体を図４で説明したコネクタ本体３１に装着することで、接続端子完成体のみが３３から３６に代わったカードコネクタ４を、図１同様に（１０−１）で外観をまた（１０−２）で断面視した図１０のように構成することができる。
【００５８】
かかるカードコネクタ４では、接続端子３７１のコンタクト領域が図１のカードコネクタ３よりも長いので、コンタクト領域にかかる応力を小さくすることができて接続特性が上げられるメリットがある。
【００５９】
一方本発明になる他のカードコネクタを説明する図１１で、（１１−１）は図１同様の全体斜視図であり、また（１１−２）は該（１１−１）を幅方向中心線上のｃ〜ｃ′で切断視した断面図である。
【００６０】
図１１で本発明になるカードコネクタ５は、コネクタ本体５１と、該コネクタ本体５１に設けたＩＣカード幅方向のガイドで該コネクタ本体５１に対して往復動し得るカード載置板５２と、上記コネクタ本体５１と該カード載置板５２との間に配置された状態で該コネクタ本体５１に対して上下動し得るコンタクト抑え板５３とを主要な構成部材としているものであり、回路基板５８に表面実装し得るようになっている。
【００６１】
ここで本発明を理解し易くするため、先に図１２乃至図１４で上記の各構成部材をそれぞれ説明する。
すなわちコネクタ本体５１を説明する図１２で、（１２−１）は全体斜視図であり、（１２−２）は（１２−１）を図１１における中心線と同様の中心線ｄ〜ｄ′で切断視したものである。
【００６２】
図でコネクタ本体５１は、コネクタ樹脂体５１２にコネクタ端子５１３をその筐体固着部５１３ａの領域で植設して一体化させたコネクタ筐体５１１と、該コネクタ樹脂体５１２の所定位置に矢印ｅ1,ｅ2 の如く装着される孔付フック部品５１４とカード抜け止めピン５１５とからなる。
【００６３】
そして例えば銅合金材の如く導電性に優れた金属線を形成してなるこの場合の該コネクタ端子５１３は、（１２−２）で示す如く、一端が前記接続電極１ｂに対応するコンタクト５１３ｂで該コンタクト５１３ｂに続く上記筐体固着部５１３ａの他端側が上記回路基板５５の後述する接続電極部５５ｂに対応する基板接続端子５１３ｃに形成されているものである。
【００６４】
またコネクタ樹脂体５１２は、上述したカード搭載板５２をその幅方向両辺でのガイドで所定位置まで挿入し得るストッパ付の案内溝５１２ａが底板５１２ｂの幅方向両サイドの片面側に突出して形成されているものである。
【００６５】
そして、該底板５１２ｂの前記ＩＣカード１が載置された上記カード搭載板５２を上記案内溝５１２ａで所定位置まで挿入したときの該カード１における電極領域１ａと対応する領域には、上記コネクタ端子５１３の基板接続端子５１３ｃを配置させる端子開口孔５１２ｃとコンタクト５１３ｂを配置させるコンタクト開口孔５１２ｄとを両側に有するリブ部５１２ｅが形成されている。
【００６６】
そこで、コネクタ端子５１３の上記筐体固着部５１３ａが該リブ部５１２ｅを貫通するように該コネクタ端子５１３を図示されない樹脂成形金型の所定位置に位置決めした状態で通常のインサートモールド技術で該コネクタ樹脂体５１２を成形することで、基板接続端子５１３ｃが端子開口孔５１２ｃに位置しまたコンタクト５１３ｂをコンタクト開口孔５１２ｄに位置させた複数のコネクタ端子５１３が整列して植設された所要のコネクタ本体５１を図示のように構成することができる。
【００６７】
なお、この場合の各コネクタ端子それぞれのコンタクト５１３ｂは上記コネクタ樹脂体の案内溝フランジ５１２ａ′近傍の前記ＩＣカード１における各接続電極１ｂと対応する各位置に位置していると共に、それぞれの基板接続端子５１３ｃは該コネクタ樹脂体５１２の基板搭載面５１２ｇから僅かに突出するようになっている。
【００６８】
樹脂成形品からなるカード載置板を説明する図１３で、（１３−１）は全体斜視図であり、（１３−２）は（１３−１）を図１２同様の中心線ｆ〜ｆ′で切断視したものである。
【００６９】
図でこの場合のカード載置板５２は、上記コネクタ本体５１の案内溝５１２ａで該コネクタ本体５１に対して円滑に移動できる幅で、該コネクタ本体５１の長さより短く形成された板状のものである。
【００７０】
そして長さ方向の片側の端辺５２ａには、図示の上面５２ｂ側に突出する壁面５２ｃが形成されていると共に、該カード載置板５２を上記端辺５２ａの側からコネクタ本体５１に挿入して位置決めしたときの該コネクタ本体５１における上記コンタクト開口孔５１２ｄと対応する領域まで該コンタクト開口孔の幅“ｗ1 ”より狭い幅“ｗ2 ”で上記端辺５２ａから切り込まれた凹部５２ｄが形成されている。
【００７１】
一方該カード載置板５２の長さ方向の他端辺５２ｅには、上記コネクタ本体５１における孔付フック部品５１４の装着位置と対応する領域に該部品５１４が通過できる幅で該他端辺５２ｅから切り込まれた凹部５２ｆが所定長さに形成され、また上記コネクタ筐体５１におけるカード抜け止めピン５１５と対応する位置には該ピン５１５に対応する径の半円状凹部５２ｇが形成されている。
【００７２】
なお、上記凹部５２ｆの奥の壁面には上記コネクタ本体５１における孔付フック部品５１４に対応する孔付フック５２ｈが設けられている。
更に上述した凹部５２ｄ近傍の下面５２ｉ側には、該凹部近傍を矢印Ｈのように裏面側から見て抽出した円内図（ａ）に示す如く、該下面５２ｉに対する第１の凹の段差面５２ｊ-1とそれより深い第２の凹の段差面５２ｊ-2とが斜面５２ｊ′で繋がった状態の凹の梯形台状段差部５２ｊが該凹部５２ｄの長さ方向の両辺５２ｄ-1，５２ｄ-2に沿って形成されている。
【００７３】
そして上述した第１の凹の段差面５２ｊ-1は、該カード載置板５２の上記半円状凹部５２ｇと上記コネクタ本体５１に設けたカード抜け止めピン５１５とを当接させたときの該コネクタ筐体５１におけるコネクタ端子５１３のコンタクト配置領域すなわち前述したＩＣカード１における電極領域１ａと対応する位置に形成され、また上記第２の凹の段差面５２ｊ-2は該カード載置板５２の上記コネクタ本体５１への挿入で位置決めされたときの該コネクタ本体５１におけるコネクタ端子５１３のコンタクト配置領域すなわち前述したＩＣカード１における電極領域１ａと対応する位置に形成されている。
【００７４】
一方樹脂成形品からなるコンタクト押え板を説明する図１４で、（１４−１）は全体斜視図であり、（１４−２）は矢印ｇ〜ｇ′で切断視したものである。
図で角枠状のコンタクト抑え板５３は、平面視の外形サイズが上述したコネクタ本体５１におけるコンタクト開口孔５１２ｄに円滑に嵌入できる大きさで、内形は該コネクタ本体５１における各コネクタ端子５１３のコンタクトが余裕を持って貫通し得るように形成されている。
【００７５】
そして、該コンタクト抑え板５３を上記コンタクト開口孔５１２ｄに嵌入させたときの端子列方向両側の側辺５３ａの上面５３ｂほぼ中央域で上記カード載置板５２における凹の梯形台状段差部５２ｊと対応する領域には、該上面５３ｂから斜面５３ｃ′で繋がる凸の梯形台状段差面５３ｃが形成されている。
【００７６】
なおこの場合の凸の梯形台状段差面５３ｃは、図１３で説明した上記カード載置板５２における凹の梯形台状段差部５２ｊと対応するそれぞれの領域に形成されている。
【００７７】
なおこの場合の凸の梯形台状段差面５３ｃは、図１３で説明した上記カード載置板５２における第２の凹の段差面５２ｊ-2にほぼ対応する大きさになっていると同時に、該カード載置板５２における凹の梯形台状段差部５２ｊの形成領域に常時位置するようになっている。
【００７８】
また、該コンタクト抑え板５３を上記コンタクト開口孔５１２ｄに嵌入させたときの端子列に沿う側辺５３ｄの下面側は、上記内形を形成する辺から外側に拡がる例えば円弧の如き凸の斜面５３ｅになっている。
【００７９】
そして該凸の斜面５３ｅは、該コンタクト抑え板５３を上記コンタクト開口孔５１２ｄに嵌入させたときに該抑え板５３の下面が上記コネクタ端子５１３の筐体固着部近傍と接触する以前に該コネクタ端子５１３と接触するように形成されている。
【００８０】
コネクタとしての組立方法を説明する図１５で（１５−１）は上記コンタクト抑え板の装着方法を示し、（１５−２）は装着時の状態を図１１同様に断面視して示した図である。
【００８１】
すなわち図の（１５−１）で、孔付フック部品５１４とカード抜け止めピン５１５とが装着されていない状態の図１４で説明した上記コンタクト抑え板５３を、図１２で説明したコネクタ筐体５１１のコンタクト開口孔５１２ｄに矢印Ｉ1 のように載置すると、上記コンタクト抑え板５３はその凸の斜面５３ｅと該コネクタ筐体５１１における各コネクタ端子５１３との当接で、該コンタクト抑え板５３は（１５−２）に示すように浮いた状態で該コネクタ筐体５１１に位置決めされる。
【００８２】
そしてこの時点では、コネクタ筐体５１１の各コネクタ端子５１３としての変位は発生していないので、それぞれのコンタクト５１３ｂは図１２で説明したようにコネクタ樹脂体の案内溝フランジ５１２ａ′の近傍に位置している。
【００８３】
コネクタとしての組立方法を図１５に続いて説明する図１６で、（１６−１）は上記カード載置板の装着方法を示し、（１６−２）は装着時の状態を図１１同様に断面視して示した図である。
【００８４】
すなわち、図１３で説明したカード載置板５２をコンタクト抑え板５３が載置された上記コネクタ筐体５１１に矢印Ｉ2 のように挿入すると、該カード載置板５２の上述した第１の凹の段差面５２ｊ-1が上記コンタクト抑え板５３の凸の梯形台状段差面５３ｃを押下するので、結果的に該コンタクト抑え板５３が各コネクタ端子５１３の応力に抗して押し下げられることから（１６−２）で示す状態にすることができる。
【００８５】
そしてこの時点では、コネクタ筐体５１１の各コネクタ端子５１３が該コンタクト抑え板５３の押し下げで変位した状態にある。
以下上記孔付フック部品５１４とカード抜け止めピン５１５とを図１２で説明したように上記コネクタ筐体５１１に装着した上で、該孔付フック部品５１４とカード載置板５２の上述した孔付フック５２ｈの各孔間に例えばコイル状のばね５６を懸架することで、所要のカードコネクタ５を図１１のように得ることができる。
【００８６】
かかるカードコネクタ５では、コネクタ本体５１に対して移動し得る上記カード載置板５２が上述したコイルばね５６で矢印Ｋ1 方向に常時付勢されていると共に該Ｋ1 方向の移動は上記カード抜け止めピン５１５によって規制されまた逆方向すなわちＫ2 方向の移動はコネクタ本体５１の案内溝５１２ａとカード載置板５２の壁面５２ｃとの当接で規制されると共に、上記コネクタ本体５１のコンタクト開口孔５１２ｄに位置する図１４で説明したコンタクト抑え板５３は該開口孔壁面との摺動で上下方向に移動させることができる。
【００８７】
従って、結果的に該カード載置板５２の移動がその上に載置した前記ＩＣカード１の押し込みまたはその解除によって実現できると共に、該カード載置板５２の移動にともなって上記コンタクト抑え板５３を上下動させることができる。
【００８８】
一方、該上記カードコネクタ５に対応する回路基板を説明する図１７で、回路基板５８はその表面の破線Ｊで示す所定の電極配置領域５８ａに、前記ＩＣカード１における各接続電極１ｂに対応する接続電極部５８ｂが図示されない回路パターンと繋がった状態で形成されているものである。
【００８９】
そこで、該回路基板５８の各接続電極部５８ｂと上記カードコネクタ５の各基板接続端子５１３ｃとが対応するように該カードコネクタ５を該回路基板５８上に載置した状態で、例えば通常のはんだリフロート接続技術等で両者をはんだ接続することで、回路基板５８に実装された状態のカードコネクタ５を図１１に示す状態で構成することができる。
【００９０】
カードコネクタとしての動作を説明する断面図１８で、（１８−１）はＩＣカード挿入前の状態を示し、（１８−２）は該ＩＣカード挿入後の状態を示したものである。
【００９１】
図の（１８−１）でカードコネクタ５は、上述した基板接続端子５１３ｃと図１７で説明した回路基板５８の各接続電極部５８ｂとのはんだ接続によって該回路基板５８に実装されており、この状態でカード搭載板５２は上述した図示されないコイルばね５６によってコネクタ本体５１のカード挿入側端部すなわち図１２で説明した端辺５１２ｆ側に位置決めされている。
【００９２】
そしてこの時点で図１４で説明したコンタクト抑え板５３は、その凸の梯形台状段差面５３ｃが上記カード載置板５２における第１の凹の段差面５２ｊ-1と接触した状態にあるので、該コンタクト抑え板５３の凸の斜面５３ｅによるコネクタ端子５１３の押下で該コネクタ端子５１３のコンタクト５１３ｂが図１２で示した常態より降下しカード載置板５２の上面５２ｂより下がった状態にある。
【００９３】
ここで、前述したＩＣカード１をカード載置板５２に載置して矢印Ｌの如く押し込むと該カード載置板５２が上記コイルばね５６に抗して押し込まれるが、このことは上記コンタクト抑え板５３の凸の梯形台状段差面５３ｃがカード載置板５２の第１の凹の段差面５２ｊ-1から第２の凹の段差面５２ｊ-2に移動することを示している。
【００９４】
従って（１８−２）で示すように、上記コンタクト抑え板５３が第１の凹の段差面５２ｊ-1と第２の凹の段差面５２ｊ-2間の段差量“δ”だけ各コネクタ端子５１３の応力復元によって上昇することから、該コンタクト抑え板５３によるコネクタ端子５１３への押圧が解除されて図１２で示した初期状態になり、結果的に該コネクタ端子５１３のコンタクト５１３ｂを上記ＩＣカード１の接続電極１ｂに接触させることができる。
【００９５】
なお図示されないエジェクタ機構等でロックを解除することで、前述したコイルばね５６によってカード搭載板５２がＩＣカード１と共に初期位置に戻ることは図１で説明したカードコネクタ３の場合と同様である。
【００９６】
かかるカードコネクタ５では、カード載置板５２に搭載されたＩＣカード１がコネクタ本体５１の所定位置近傍に位置した時点で該コネクタ本体５１のコネクタ端子５１３が上記ＩＣカード１と接触するので、結果的に上記ＩＣカード１の各接続電極１ｂとコネクタ端子５１３のコンタクト５１３ｂ間の摺動接触による図２２で説明した摺動痕１ｃの発生が抑制できることから長期にわたる接続特性の確保と安定化を実現することができる。
【００９７】
更に、摺動接触がないことからＩＣカード１としての接続／解除時の操作力がほぼ“０”にできるので、多極化にも容易に対応できるメリットがあることも図１で説明したカードコネクタ３と同様である。
【００９８】
【発明の効果】
上述の如く本発明により、ＩＣカード上の接続電極とカードコネクタのコンタクトとの間の摺動による接続をなくして接続の長期安定化と接続／解除時の操作力の低減化とを図ったＩＣカードコネクタを提供することができる。
【００９９】
なお本発明になるＩＣカードコネクタ３では接続端子のコンタクトが１個の舌片状である場合を例としているが、該コンタクトを例えば長手方向に沿うスリットで先端から分割する等複数化することで接続信頼性が更に上げられることは明らかである。
【０１００】
また本発明になるＩＣカードコネクタ５ではコネクタ端子が金属線からなる場合を例としているが、該コネクタ端子を上記ＩＣカードコネクタ３における接続端子の如く板材で形成しても同等の効果が得られることは明らかである。
【図面の簡単な説明】
【図１】  本発明になるカードコネクタの構成を説明する図である。
【図２】  図１におけるコネクタ筐体を説明する図である。
【図３】  図１におけるカード搭載板を説明する図である。
【図４】  図１におけるコネクタ本体を動作と共に説明する図である。
【図５】  図１におけるコネクタカバーを説明する図である。
【図６】  図１における接続端子完成体を説明する図である。
【図７】  図１におけるコネクタカバー完成体を説明する図である。
【図８】  図１におけるカードコネクタの動作を説明する図である。
【図９】  本発明に係わる他の接続端子完成体を説明する図である。
【図１０】  図９の接続端子完成体を使用したカードコネクタを説明する図である。
【図１１】  本発明になる他のカードコネクタの構成を説明する図である。
【図１２】  図１１におけるコネクタ本体を説明する図である。
【図１３】  図１１におけるカード載置板を説明する図である。
【図１４】  図１１におけるコンタクト抑え板を説明する図である。
【図１５】  図１１のコネクタの組立方法を説明する図（その１）である。
【図１６】  図１１のコネクタの組立方法を説明する図（その２）である。
【図１７】  図１１のコネクタに適用する回路基板を示す図である。
【図１８】  図１１におけるカードコネクタの動作を説明する図である。
【図１９】  本発明に係わるＩＣカードを説明する概略図である。
【図２０】  従来のＩＣカードコネクタの構成例を説明する図である。
【図２１】  ＩＣカード接続時の状態を時系列的に説明する図である。
【図２２】  問題点を説明する図である。
【符号の説明】
１            ＩＣカード
１ａ          電極領域
１ｂ          接続電極
３，４，５    ＩＣカードコネクタ
２５，３８    可撓性回路基板
３１，５１    コネクタ本体
３２          コネクタカバー完成体
３３，３６    接続端子完成体
３４，３７    接続端子板
３５，５６    ばね
５２          カード載置板
５２ａ        端辺
５２ｂ，５３ｂ，３１１ｂ，３１２ｅ      上面
５２ｃ        壁面
５２ｄ，５２ｆ        凹部
５２ｄ-1，５２ｄ-2    長さ方向辺
５２ｅ        他端辺
５２ｇ        半円状凹部
５２ｈ        孔付フック
５２ｉ        下面
５２ｊ        凹の梯形台状段差面
５２ｊ′，５３ｃ′    斜面
５２ｊ-1      第１の凹の段差面
５２ｊ-2      第２の凹の段差面
５３          コンタクト抑え板
５３ａ，５３ｄ        側辺
５３ｃ        凸の梯形台状段差面
５３ｅ        凸の斜面
５８          回路基板
５８ａ        電極配置領域
５８ｂ        接続電極部
２３１，３７１        接続端子
２３１ａ，３７１ａ，５１３ｂ    コンタクト
２３１ｂ      外部接続端子
３１１        コネクタ筐体
３１１ａ      枠
３１１ｃ，３２１ｆ    開口窓
３１１ｄ      ガイド部
３１１ｄ′    ガイド部内面
３１１ｅ，３１１ｅ-1，３１１ｅ-2      長辺
３１１ｆ      外面
３１１ｇ      板状突起
３１１ｈ      内面
３１１ｊ      斜め溝
３１１ｊ′    拡幅部
３１１ｊ″    拡幅部形成辺
３１１ｋ      ガイド部側内面
３１１ｍ，３２１ｇ    ばね取付け孔
３１２        カード搭載板
３１２ａ-1，３１２ａ-2  幅方向端面
３１２ｂ      長手方向端面
３１２ｃ      斜め突起
３１２ｄ      突起
３２１        コネクタカバー
３２１ａ      側壁
３２１ｂ，３２１ｄ    端辺
３２１ｃ      スリット溝
３２１ｅ      フック
３４１，３７２        絶縁体
３４１ａ，３７２ａ    段差面
５１１        コネクタ筐体
５１２        コネクタ樹脂体
５１２ａ      案内溝
５１２ａ′    案内溝フランジ
５１２ｂ      底板
５１２ｃ      端子開口孔
５１２ｄ      コンタクト開口孔
５１２ｅ      リブ部
５１２ｆ      端辺
５１２ｇ      基板搭載面
５１３        コネクタ端子
５１３ａ      筐体固着部
５１３ｃ      基板接続端子
５１４        孔付フック部品
５１５        カード抜け止めピン
【図１】
0003660482.tif 000002
【図２】
0003660482.tif 000003
【図３】
0003660482.tif 000004
【図４】
0003660482.tif 000005
【図５】
0003660482.tif 000006
【図６】
0003660482.tif 000007
【図７】
0003660482.tif 000008
【図８】
0003660482.tif 000009
【図９】
0003660482.tif 000010
【図１０】
0003660482.tif 000011
【図１１】
0003660482.tif 000012
【図１２】
0003660482.tif 000013
【図１３】
0003660482.tif 000014
【図１４】
0003660482.tif 000015
【図１５】
0003660482.tif 000016
【図１６】
0003660482.tif 000017
【図１７】
0003660482.tif 000018
【図１８】
0003660482.tif 000019
【図１９】
0003660482.tif 000020
【図２０】
0003660482.tif 000021
【図２１】
0003660482.tif 000022
【図２２】
0003660482.tif 000023